(57)【要約】  本発明は、腸液を分析するための消化システムに関する。システムは、流体内容物を収容する区画部と、流体内容物内におけるミクロ領域を超えるサイズの粒子を濾過するためのミクロフィルタとを備える。システムは、消化された脂溶性粒子を除去するためにミクロフィルタの下流に配置されているパートラクターをさらに備える。【選択図】図１
2014518732.tif 000002
【特許請求の範囲】
【請求項１】
腸液を分析するための消化システムであって、
流体内容物を収容する区画部と、前記流体内容物内におけるミクロ領域を超えるサイズの粒子を濾過するためのミクロフィルタとを備えており、
消化された脂溶性粒子を除去するために前記ミクロフィルタの下流に配置されているパートラクターをさらに備えており、
前記パートラクターが、容器と、前記容器内に配置されている複数の中空繊維膜とを含み、前記中空繊維膜を通して有機溶媒を流すための有機溶媒供給モジュールをさらに含み、
前記容器には、前記ミクロフィルタによって濾過された流体を受け入れるための入口ポートが設けられており、
当該消化システムが、消化された水溶性粒子を除去するために前記ミクロフィルタの下流に配置されている限外濾過フィルタをさらに備える、消化システム。
【請求項２】
前記パートラクターが、前記入口ポートを通して前記容器に進入する流体を前記中空繊維膜に沿って流すように構成されている、請求項１に記載の消化システム。
【請求項３】
前記容器には、前記入口ポートを通して前記容器に進入する流体を下流のユニットに向けて流すための出口ポートがさらに設けられている、請求項１又は２に記載の消化システム。
【請求項４】
前記流体内容物のｐＨ値を低下させるために前記パートラクターの上流に配置される調節装置をさらに備える、請求項１〜３のいずれか一項に記載の消化システム。
【請求項５】
前記限外濾過フィルタが、前記パートラクターの下流又は上流のいずれかに配置されている、請求項１に記載の消化システム。
【請求項６】
残留物を前記区画部に還流するためのフィードバック経路をさらに備える、請求項１〜５のいずれか一項に記載の消化システム。
【請求項７】
腸液を分析するための方法であって、
ミクロフィルタと、容器内に配置される複数の中空繊維膜を含むパートラクターと、限外濾過フィルタとを備える消化システムを用意するステップと、
前記ミクロフィルタを使用して、流体内容物内におけるミクロ領域を超えるサイズの粒子を濾過するステップと、
その後に、前記ミクロフィルタによって濾過された流体を前記パートラクターの前記容器内に受け入れることによって、及び、前記中空繊維膜を通して有機溶媒を流すことによって、消化された脂溶性粒子を前記流体から除去するステップと、
前記限外濾過フィルタを使用して、消化された水溶性粒子を前記流体から除去するステップと
を含む、方法。
【発明の詳細な説明】
【技術分野】
【０００１】
本発明は、消化システムに関する。
【背景技術】
【０００２】
人間の胃腸内の消化プロセスを分析する目的のために正確なシミュレーションモデルを提供することが望まれている。
【発明の概要】
【発明が解決しようとする課題】
【０００３】
既知の消化システムでは、消化された脂質、及び薬物などのような他の脂溶性成分を含有する、ミセルを濾過するためにミクロフィルタが使用されており、一方、消化されていない脂肪滴が、シミュレートされた腸の内容物内に保持されている。しかし、ミクロフィルタは、酵素、胆汁、及び食物粒子などのような、消化された水溶性粒子をも通す。
【課題を解決するための手段】
【０００４】
本発明の態様によれば、腸液を分析するための消化システムが提供され、消化システムは、流体内容物を収容する区画部と、腸の内容物内におけるミクロ領域（ｍｉｃｒｏ  ｒａｎｇｅ）を超えるサイズの粒子を濾過するためのミクロフィルタとを備えており、消化システムは、消化された脂溶性粒子を除去するためにミクロフィルタの下流に配置されているパートラクター（ｐｅｒｔｒａｃｔｏｒ）をさらに備えており、パートラクターは、容器と、容器内に配置されている複数の中空繊維膜とを含み、中空繊維膜を通して有機溶媒を流すための有機溶媒供給モジュールをさらに含み、容器には、ミクロフィルタによって濾過された流体を受け入れるための入口ポートが設けられており、システムは、消化された水溶性粒子を除去するためにミクロフィルタの下流に配置されている限外濾過フィルタをさらに含む。
【０００５】
消化された脂溶性粒子を除去するためにパートラクターを適用することによって、例えば、腸壁を通じた吸収に関する脂溶性粒子の有効性を決定するために、腸の内容物内の脂溶性粒子の挙動を、より正確かつ有利に研究することが可能となる。
【０００６】
また、本発明は、腸液を分析するための方法に関する。
【０００７】
次に、単なる例として、本発明の実施形態を添付の図を参照して説明する。
【図面の簡単な説明】
【０００８】
【図１】本発明による消化システムの概略図である。
【図２】図１の消化システムに含まれているパートラクターの概略図である。
【発明を実施するための形態】
【０００９】
図は、単に、本発明による好適な実施形態の概略図である。図では、同じ参照番号は、同等の又は対応する部分を参照している。
【００１０】
図１は、本発明による消化システム１の概略図を示している。システム１は、腸液を分析するために配置されている。システム１は、流体内容物を収容する区画部２と、流体内容物内におけるミクロ領域を超えるサイズ、すなわち、およそ１０ミクロンを超えるサイズの粒子を濾過するためのミクロフィルタ３とを備えている。ミクロフィルタ３は、脂肪粒子を留めるが、消化された脂溶性粒子、及び、消化された水溶性粒子を通す。さらに、システム１は、限外濾過フィルタ４およびパートラクター５を備え、両方とも、ミクロフィルタ３の下流に配置されている。
【００１１】
限外濾過フィルタ４は、消化された水溶性粒子を除去するために配置されており、一方、パートラクター５は、消化された脂溶性粒子を除去するために配置されている。示されている実施形態では、限外濾過フィルタ４は、パートラクター５の上流に位置付けられている。しかし、限外濾過フィルタ４は、パートラクター５の下流に位置付けられてもよい。
【００１２】
システム１は、区画部２内の流体を処理するツールの連続チェーンを形成するための複数の流路をさらに含む。示されている実施形態では、第１の流路６が、ミクロフィルタ３を限外濾過フィルタ４に接続しており、第２の流路７が、限外濾過フィルタ４をパートラクター５に接続している。さらに、第３の流路８が、パートラクター５を区画部２に戻すように接続し、閉ループを形成している。システム１は、例えば、ループを通して時計回りに流体を流すためのポンプ９などのデバイスを含む。ループを提供することによって、区画部２の内容物から粒子を除去するプロセスは、何度も繰り返すことが可能であり、毎回、濾過の結果を改善させる。
【００１３】
この文脈では、残留物を区画部に還流するためのフィードバック経路を実施する第３の流路８は随意に設けられるということが留意される。また、システム１が、限外濾過フィルタ４なしで構成され得ることもさらに留意される。次いで、パートラクター５は、ミクロフィルタ３の直下流に配置することが可能である。
【００１４】
限外濾過フィルタ４は、消化された水溶性粒子を流体から濾過するための透析液デバイス１０を含む透析装置として実施することが可能である。
【００１５】
図２は、パートラクター５の概略図を示している。第２の流路７が、パートラクター５に向けて流体を流し、一方、第３の流路８が、パートラクター５から流体を流す。図２では、追加的な容器１１が示されており、流路７、８内の流体が、水相の状態にあることを示している。
【００１６】
パートラクター５は、容器１２と、容器１２内に配置されている複数の中空繊維膜１３とを含む。また、パートラクター５は、中空繊維膜１３を通して有機溶媒を流すための有機溶媒供給モジュール１４も含む。
【００１７】
容器１２には、第２の流路７を通して流れる流体を受け入れるための入口ポート１５が設けられている。容器１２には、入口ポート１５を通して容器に進入する流体を第３の流路８に向けて流すための出口ポート１６がさらに設けられている。また、容器１２は、有機溶媒入口ポート１７および有機溶媒出口ポート１８を含み、有機溶媒が、有機溶媒供給モジュール１４の貯蔵部１９から中空繊維膜１３内へ流れ、貯蔵部１９へ還流することを可能としている。
【００１８】
入口ポート１５を通して進入する流体が、中空繊維膜１３に沿って流れ、出口ポート１６を通して容器１２から出ていくように、パートラクター５は配置されている。
【００１９】
システム１の運転中に、水相及び有機溶媒流れ（例えば、ヘプタン）は、膜が疎水性であるので、混合することなく互いに接触する。接触段階中に、消化された脂溶性粒子が、水相から有機溶媒相へ移動する。このように、消化された脂溶性粒子は、有機溶媒相へ選択的に移ることが可能である。水相と有機溶媒との大きい接触面積に起因して、ミセル及び薬物粒子などのような、消化された脂溶性粒子を濾過する選択的な濾過ステップは、比較的迅速に実施することが可能である。
【００２０】
随意的に、システムは、例えば、およそ５のｐＨ値に向けて、流体内容物のｐＨ値を低下させるためにパートラクター５の上流に配置される調節装置を含むことが可能である。
【００２１】
本発明は、本明細書で説明されている実施形態に限定されない。多くの変形例が可能であるということが理解されることとなる。
【００２２】
そのような他の変形例が、当業者にとって明らかであり、以下の特許請求の範囲において定義されているような本発明の範囲内に含まれるように考慮される。
【図１】
2014518732.tif 000003
【図２】
2014518732.tif 000004
【国際調査報告】
2014518732.tif 000005
2014518732.tif 000006
2014518732.tif 000007